(57)【特許請求の範囲】
【請求項１】
回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、該ルーバーガラスが鎧状に接触する際の接触側がガラス層から成り、反接触側が耐衝撃材層から成るものであることを特徴とするルーバーガラス。
【請求項２】
回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、該ルーバーガラスが鎧状に接触する際の接触側がガラス層から成り、反接触側と側面とが耐衝撃材層から成るものであることを特徴とするルーバーガラス。
【請求項３】
請求項１または請求項２に記載のルーバーガラスにおいて、上記合せガラスの構成になっている合せガラス部は、該ルーバーガラスが支持金具に装着された際に支持金具によって覆い隠される支持金具装着部を除く部分であって、該支持金具の間に露出している露出部に形成されて成るものであることを特徴とするルーバーガラス。
【請求項４】
回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、上記合せガラス部を構成する耐衝撃材層が金属層から成り、該金属層には支持金具のクリップ部が開閉する際の軌道上に出現して該クリップ部の動きを封ずる舌片が出退自在に設けられて成るものであることを特徴とするルーバーガラス。
【発明の詳細な説明】
【技術分野】
【０００１】
本発明は住宅等建造物の開口部等に設置のルーバー窓に用いられるルーバーガラス（羽根ガラス、ジャロジーガラスとも言う）に関するものであって、その防犯対策に係り、ルーバーガラスがガラス切やニッパーの類によって刻まれた傷を起点に割られたり、その他強引に割り破られたりする被害や、ルーバーガラスが支持金具から抜き外されたりする被害の防止に効果を有する。
【背景技術】
【０００２】
従来、ルーバー窓の種類には、ルーバーガラスの両端にエンドキャップを被せて支持金具に挿入すればワンタッチ操作的に装着とロックとが同時に行えるエンドキャップ装着のルーバー窓と、装着機能のみでロック機能のないクリップ式支持金具を備えるクリップ装着のルーバー窓とがある。
【０００３】
図８はルーバー窓の一般的な構成を概略的に示す断面図であり、ルーバーガラスＧは従来一般に厚み６．０〜６．８ｍｍの板ガラスが用いられており、エンドキャップ式やクリップ式等の支持金具Ｋに装着されていて、支持金具Ｋはルーバー窓の本体部Ｈに回動自在に取付けられており、連動フレームＦを介してオペレータＰに連結している。ルーバーガラスＧは回動することにより長辺周辺部が鎧状に接触して開閉する構成になっている。
【０００４】
ルーバー窓における防犯上の問題としては、エンドキャップ装着のルーバー窓やクリップ装着のルーバー窓において裸のルーバーガラス（板ガラスが所定寸法に切断されて面取りされた状態のもの）を用いる場合に、該ルーバーガラスがガラス切ないしはニッパーの類によって刻まれた傷を起点にして割られて抜き取られたり、希にはバール等によって強引に割られたりするという問題があった。以下、この問題は「割り抜き」被害と言うものとする。もう１つの問題としては、ルーバーガラスをロックする機能が備わっていないクリップ装着のルーバー窓においては、支持金具からルーバーガラスが抜き外されるという問題があった。以下、この問題は「抜き外し」被害と言うものとする。
【０００５】
近年では、エンドキャップ装着のルーバー窓が大半を占めるに至り、ロック機構のないクリップ装着のルーバー窓は設置が少なくなってきていて、クリップ装着のルーバー窓において発生していた抜き外し被害の問題は終息の方向にある。しかし、割り抜き被害は裸のルーバーガラスを用いる場合に発生する被害であってクリップ装着のルーバー窓においても発生するのであって、防犯上の課題は割り抜き被害の防止に絞られてきている。
【０００６】
中間膜を用いた公知の合せガラスは、ガラス層が割られると容易に撓んで変形し、支持金具から抜き取ることが可能なので、何れのルーバー窓においても厚み６．０〜６．８ｍｍの裸のルーバーガラスが専ら用いられている。ガラス切等で刻まれた傷を起点にしてルーバーガラスが割られて抜き取られる割り抜き被害は、型板ガラスや網入りガラスを裸の状態で用いる場合に発生する被害であって、裸のルーバーガラスが専ら用いられている現状においては全てのルーバー窓において被害の発生する惧れがある。装着とロックとがワンタッチ操作で行えるという優れた機能を有するエンドキャップ装着のルーバー窓と言えども、裸のルーバーガラスを用いる限りにおいては、ガラス切等を用いて分断したり、撓ませたりして抜き取るという割り抜き被害に対しては全くの無防備であって対策を必要としていた。また、裸のルーバーガラスは意匠性に劣るという問題も併せ持っていた。
【０００７】
割り抜き被害の一例としては、ガラス切による場合は短辺方向に線状傷が入れられ、ニッパー等による場合は側部に噛り傷が入れられ、必要に応じて消音のための粘着テープが貼られ、ルーバーガラスが閉状態の際には鑿やバールや釘抜きの類の先端部を鎧状に重なるルーバーガラスの間隙に差込んで梃子の原理により、開状態の際や２枚目以降の場合にはペンチやヤットコの類で挟んで該傷の箇所に折り曲げ方向の力を加えるようにすればルーバーガラスは該傷を起点に割られて容易に分断されるし、網入りガラスでは折り曲げられる。ルーバーガラスは支持金具に嵌まっているにすぎないので、分断されたり折り曲げられた状態のルーバーガラスは切り口の方向に引っ張れば簡単に抜き取れる。これらに要する時間はルーバーガラス１個当り数秒とは掛からない。
【０００８】
なお、因みに述べれば、断面溝形のサッシにグレチャンを介して板ガラスを嵌めたルーバーガラスは、従来一般のガラス窓と同様であってグレチャンには接着力がないため、ガラスが割られれば割られたガラス片はサッシに接着されているのではなくて嵌まっているにすぎないので簡単に外され、ガラス片の外れた開口部から手が入れられてロックが解除されるものであり、割り抜き被害の防止にはなり得ないという問題があった。
また、ルーバー窓の気密性を向上させるため、弾性材から成る気密材をルーバーガラスの長辺近傍に貼着したルーバーガラスが、例えば特開平１１−６２４２０号、特開平１０−１２２２１０号、特開平９−１３３３８４号等において提案されているが、弾性材から成る気密材はルーバーガラスが割られる際に一緒に折れ曲がるので、割り抜き被害の防止にはなり得ないという問題があった。
【発明の開示】
【発明が解決しようとする課題】
【０００９】
割り抜き被害の手口は、ガラス切等を道具として用いることにより素人にも音も出さず失敗なく素早く行える業であって、その手口が泥棒仲間に知れ渡れば従来の抜き外し被害の比ではなく極めて大きな被害に広まる惧れがあり、ルーバー窓の存続にも関わるものと危惧される。本発明は上記危惧に鑑みて為されたものであり、本発明の第１の課題は、上記の割り抜き被害が簡単に防止できる新たな構成のルーバーガラスを提供することにある。更には、その新たな構成のルーバーガラスが世間に受け入れられるためには窓としての美観が必要であって、意匠性に優れた魅力のある構成のルーバーガラスであることが必須であることに鑑み、意匠性の向上も併せて課題としている。
【００１０】
本発明の第２の課題は、クリップ装着のルーバー窓を対象としており、ロック機構を備えていないために発生する抜き外し被害を、上記の割り抜き被害を防止する際に同時に防止することにある。抜き外し被害の問題は上記のように終息の方向にはあるが、既設のルーバー窓にはクリップ装着のルーバー窓も多く存在していることに鑑みて為されたものであり、ルーバー窓の本体部は改造することなく、裸のルーバーガラスを本発明のルーバーガラスに取り替えるのみによって抜き外し被害と割り抜き被害とが同時に防止できるようにすることにある。
【課題を解決するための手段】
【００１１】
上記第１の課題を解決する請求項１記載の発明では、回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、該ルーバーガラスが鎧状に接触する際の接触側がガラス層から成り、反接触側が耐衝撃材層から成るものであることを特徴とするルーバーガラスを提供している。
【００１２】
本発明において合せガラスとは、一方の側が板ガラスから成るものは相手側の材質に関係なく合せガラスの範疇であるとし、全域ではなく一部分のみが合せガラスの構成になっているものも全てが合せガラスの範囲に含まれるものとし、相手側の材質や占める面積には拘らないものとする。耐衝撃材とは、ガラスのように衝撃によって破損する材質のものではなくて、例えば金属や或る種の合成樹脂等のように剛性と粘性を兼ね備えていて衝撃にも耐える高強度の材質のものを言う。公知の合せガラスから成るルーバーガラスは、ガラス層が割られれば容易に撓んで（折れ曲がって）支持金具から簡単に抜き取られるのに対し、請求項１記載のルーバーガラスは周辺部をガラス層と接着材層と耐衝撃材層とから成る合せガラスの構成としており、剛性と粘性を兼ねる高強度な耐衝撃材を相手側に用いることによって、ガラス層が割られた場合にも支持金具から抜き取ることができないようにして割り抜き被害を防止し、且つ、該合せガラス部は周辺部に形成するようにしており相手側が不透明な材質であっても窓に必要な採光を得る構成であって、延いては合せガラス部の描く模様によって意匠性を向上させる構成とした点に特徴を有する。
【００１３】
請求項１記載のルーバーガラスでは、合せガラス部は、接触側のガラス層と反接触側の耐衝撃材層とが接着剤層を介して向き合う構成とし、１つのガラス層に対して１つの耐衝撃材層を組み合わせた所謂シングル構造の合せガラスとして形成している点に特徴を有する。即ち、製作が容易なシングル構造とすることによってコスト低廉に割り抜き被害を防止し、且つ、厚み３〜５ｍｍの薄い板ガラスを用いた場合にも合せガラスに形成することによって周辺部の厚みを増加させて６ｍｍ用支持金具に適合する形状の得られる構成とした点に特徴を有する。
【００１４】
上記第１の課題を解決する請求項２記載の発明では、回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、該ルーバーガラスが鎧状に接触する際の接触側がガラス層から成り、反接触側と側面とが耐衝撃材層から成るものであることを特徴とするルーバーガラスを提供している。
【００１５】
請求項２に記載のルーバーガラスにおいては、合せガラス部は、接触側のガラス層を、反接触側の耐衝撃材層と側面の耐衝撃材層とによって異なる２つの方向から覆う構成とし、１つのガラス層に対して２つの耐衝撃材層を組み合わせた所謂ダブル構造の合せガラスとして形成している点に特徴を有する。即ち、反接触側の耐衝撃材層と側面の耐衝撃材層とによる２次元の壁面によってガラス層を保護する構成とすることによって割り抜き被害を強力に防止し、且つ、厚み３〜５ｍｍの薄い板ガラスを用いた場合にも合せガラスに形成することによって周辺部の厚みを増加させて６ｍｍ用支持金具に適合する形状の得られる構成とした点に特徴を有する。なお、側面の耐衝撃材層とガラス層との間に介在させる接着材層は省略しても防犯力に支障はないが、省略した場合は、見かけはダブル構造であっても機能としてはシングル構造の範疇となる。
【００１６】
上記第１の課題を解決する請求項３記載の発明では、請求項１または請求項２に記載のルーバーガラスにおいて、上記合せガラスの構成になっている合せガラス部は、該ルーバーガラスが支持金具に装着された際に支持金具によって覆い隠される支持金具装着部を除く部分であって、該支持金具の間に露出している露出部に形成されて成るものであることを特徴とするルーバーガラスを提供している。
【００１７】
請求項３に記載のルーバーガラスにおいては、合せガラス部は露出部に限定して形成するようにして支持金具装着部は裸ガラスの状態のまま残す構成としたことによって、厚みの増加する箇所と増加しない箇所とを目的に応じて機能させる構成としている点に特徴を有する。即ち、第三者からの攻撃の対象となる露出部は厚みが増加する箇所として合せガラス部を設けることによって割り抜き被害を強力に防止し、且つ、支持金具に嵌める支持金具装着部は強度十分な厚み６．０〜６．８ｍｍの板ガラスを用いた場合にも厚みが増加しない箇所として残すようにして６ｍｍ用支持金具に適合する形状の得られる構成とした点に特徴を有する。また、請求項３に記載のルーバーガラスでは、優先権主張に係る先の出願の請求項３および段落番号００１６に記載しているように、合せガラスの構成になっている合せガラス部は少なくとも何れか一方の長辺の近傍に形成されていれば防犯上は十分である。
【００１８】
上記第２の課題を解決する請求項４記載の発明では、回動することによって開閉する構成のルーバー窓に用いられるルーバーガラスであって該ルーバーガラスの一部の箇所がガラス層と接着材層と耐衝撃材層とから成る合せガラスの構成になっているルーバーガラスにおいて、上記合せガラスの構成になっている合せガラス部は、形成されている箇所がルーバーガラスの周辺部であって、上記合せガラス部を構成する耐衝撃材層が金属層から成り、該金属層には支持金具のクリップ部が開閉する際の軌道上に出現して該クリップ部の動きを封ずる舌片が出退自在に設けられて成るものであることを特徴とするルーバーガラスを提供している。
【００１９】
請求項４記載のルーバーガラスは、ロック機構を有しないクリップ装着のルーバー窓を対象としており、ルーバー窓本体部の改造は全く必要とせず、従来のルーバーガラスを本発明のルーバーガラスに取り替えるのみの手段でもって、取り外し被害と割り抜き被害とを同時に防止するようにした点に特徴を有する。
【発明の効果】
【００２０】
請求項１記載のルーバーガラスは、周辺部の接触側がガラス層から成り反接触側が耐衝撃材層から成る合せガラスの構成になっているため、ガラス層が割り抜き被害の攻撃を受けて割られたとしても、相手方の耐衝撃材層は強度が大きくて破断することはないし、接着しているガラス層は耐衝撃材層から剥離されることがなく、原形を維持していて撓む（折れ曲がる）こともない。即ち、本発明のルーバーガラスは、中間膜を用いた従来の合せガラスのように撓むことはなく、支持金具から抜き取られることはないのであって、割り抜き被害は防止される。耐衝撃材層とガラス層は接着されていることによって飛躍的に強化されるものであり、両者の関係はビル建築の鉄骨コンクリートにおける鉄骨とコンクリートとの関係に似ており、鉄骨に該当する耐衝撃材層とコンクリートの骨材に該当するガラス層とがセメントに該当する接着材層によって一体化されて強固な構造を生み出している。このように強固な構造のルーバーガラスは、全域が合せガラスの構成になっている必要はないのであって、周辺部に形成されているのみでも十分な防犯機能を有する。また、周辺部のみが合せガラスの構成になっている構成では、耐衝撃層が不透明な材質のものである場合にも、面積の大半を占める非合せガラス（単板ガラス）の領域から窓に必要な採光は十分に得られる。また、合せガラスの箇所はルーバー窓に固有の横縞模様の意匠を更に強調する存在であり、美観が向上する。
【００２１】
請求項１記載のルーバーガラスでは、合せガラス部は、接触側がガラス層から成り反接触側が耐衝撃材層から成る、所謂シングル構造の合せガラスから成るものであり、構造が簡単であって、コストが低廉なわりには機能性に優れている。即ち、割り抜き被害の攻撃を受けた場合には、耐衝撃材層が該ルーバーガラスを周辺部から保護して面格子としての機能を果たし、先ずは第１段目の防衛を果たす。この第１段目の防衛に敗れてガラス層が割られたとしても、割られたガラス片は耐衝撃材層に接着していて撓む（折れ曲がる）ことがなく支持金具から抜き取られることはないのであり、割り抜き被害は耐衝撃材層が果たす面格子機能と、合せガラスが果たすそれ本来の機能との２段構えの機能によって強力に防止される。また、厚さ３〜５ｍｍの薄い板ガラスを用いた場合にも、周辺部は合せガラスの構成にすることによって従来のルーバーガラス並みの６．０〜６．８ｍｍにまで厚みを増加させることができて、６ｍｍ用支持金具に適合する厚みが得られ、従来のルーバー窓において互換性１００％に用いることができる。また、面積の大半を占める非合せガラスの部分（単板ガラスの部分）は厚さ３〜５ｍｍの薄い板ガラスであって、従来に比べ軽量化が図れる。
【００２２】
請求項２に記載のルーバーガラスでは、合せガラス部は接触側がガラス層から成り、反接触側と側面とが共に耐衝撃材層から成る、所謂ダブル構造の合せガラスから成るものであり、機能は請求項１や２に記載のシングル構造のものに比べれば単純計算で略２倍に強化されている。即ち、ガラス層は反接触側の耐衝撃材層と側面の耐衝撃材層とによる２次元の壁面によって保護されており、一部材としての耐衝撃材層が果たす面格子としての機能と、本体部としての合せガラス部が果たす合せガラス本来の機能は共に請求項１のシングル構造の場合よりも強化されていて、撓みに対する抵抗力が大きくて支持金具から抜き取られることはなく、割り抜き被害は強力に防止される。また、厚さ３〜５ｍｍの薄い板ガラスを用いた場合にも、周辺部は合せガラスの構成にすることによって従来のルーバーガラス並みの６．０〜６．８ｍｍにまで厚みを増加させることができて、６ｍｍ用支持金具に適合する厚みが得られ、従来のルーバー窓において互換性１００％に用いることができる。また、面積の大半を占める非合せガラスの部分（単板ガラスの部分）は厚さ３〜５ｍｍの薄い板ガラスであって、従来に比べ軽量化が図れる。
【００２３】
請求項３に記載のルーバーガラスでは、合せガラス部は、支持金具装着部を除く部分であって露出部に限定して形成されているため、厚さ６．０〜６．８ｍｍの板ガラスの周辺部に合せガラス部を形成した場合でも、支持金具装着部分の厚みは増すことがないのであって、６ｍｍ用支持金具に適合する形状のままであり、従来のルーバー窓において互換性１００％に用いることができる。即ち、本発明のルーバーガラスでは、更に厚みが増加しても装着に影響のない露出部に合せガラス部を形成するようにし、６ｍｍ用支持金具に適合するルーバーガラスとしては限度最高の厚みである６．０〜６．８ｍｍの板ガラスを用いて限度最高のガラス強度を得ると同時に、更に厚みが増加すると装着に支障を来たす支持金具装着部には合せガラス部を設けないようにして従来品との互換性を得るようにしている。即ち、泥棒など第三者からの攻撃を直接に受ける露出部分を合せガラスの構成にすることによって得られる面格子機能と合せガラス機能とによって割り抜き被害を防止するものである。要するに、本発明によれば６．０〜６．８ｍｍの板ガラスに合せガラス部を設けた防犯効果十分なルーバーガラスを６ｍｍ用支持金具に適合するルーバーガラスとして提供することができる。
【００２４】
請求項４に記載のルーバーガラスでは、ロック機構がルーバーガラスの側に単独に設けられているので、従来のルーバーガラスに代えて用いるという簡単な手段によってロック機能が備わる。クリップ装着のルーバー窓のようにロック機能を有しないルーバー窓においても、ルーバー窓の本体部を改造する必要はなく、ルーバーガラスを本発明のものに取り替えるのみで、抜き外し被害と割り抜き被害とを同時に防止することができて、簡便であってコストも低廉である。
【発明を実施するための最良の形態】
【００２５】
以下に、本発明を実施するための最良の形態を実施例によって、図面を参照しながら説明する。なお、以下の実施例は何れの実施例も全て、耐衝撃材層が金属層から成る例として示している。
【実施例１】
【００２６】
本発明の実施例１は請求項１に対応する実施例であって、図１は本発明の実施例１に係るルーバーガラス１１を屋外側から見た場合の斜視図であり、図２はルーバーガラス１１が鎧状に重なる際の状態を示す要部断面図である。ルーバーガラス１１では、合せガラスの構成になっている合せガラス部１５は、ガラス層１２の長辺周辺部に形成されており、該ルーバーガラスが鎧状に接触する際の接触側Ｘ（図２参照）がガラス層１２から成り、反接触側Ｙが金属層１３から成るものであり、ガラス層１２と金属層１３とが接着材層１４を介して向き合う構成になっていて、ガラス層と金属層とが１対１の組み合わせになっており、所謂シングル構造の合せガラスから成るものであって、効果の割にはコストが低廉である。ルーバーガラス１１は、接触側がガラス層であるので鎧状に接触する際にはガラス層同士の接触（図２参照）となる。なお、合せガラス部は短辺側にも延長して部分的に設けることができるものであり、その場合は、板状の金属やゴム等から成るスペーサを貼着することによって代用してもよい。
【００２７】
金属層１３としては、アルミ押出形材ないしはステンレス鋼板や真鍮板の成形品等から成り、幅が５〜２５ｍｍ、厚みが０．５〜３ｍｍ程度の平板状のものが好ましいが、半筒状ないしは山形状など他の形状であってもよい。接着材層１４としては、建築業界においてガラスとサッシとのシールに用いられるシーリング材の類、例えはジメチルポリシロキサンを主成分とするオキシム型であって湿気硬化型の１成分形シリコーン系弾性シーリング材等を用いることができるものであり、引張応力として０．５Ｎ／平方ミリメートル前後の大きな接着力を有する。ガラス層１２としては、厚み３〜５ｍｍの無色ないしは色彩の型板ガラスやフロートガラス等を用いることができる。
【００２８】
ルーバーガラス１１では、合せガラス部１５は厚み３〜５ｍｍの板ガラスの長辺全長に形成されていて、ガラス層１２と接着材層１４と金属層１３の合計厚みが概ね６．０〜６．８ｍｍの範囲になるように形成されていて６ｍｍ用支持金具に適合する形状になっており、従来のルーバー窓において互換性１００に用いることができる。また、反接触側Ｙに配置されている金属層１３がガラス層１２の外側から先ずは面格子としての機能を果たすものであり、仮に面格子としての機能が及ばずガラス層１２が割られた場合においても、周辺部が合せガラスの構成になっていて撓むことがなく、ルーバーガラスが支持金具から抜き取られることはないのであって、金属層が単独に果たす面格子としての機能と、合せガラス部１５の本体が果たす合せガラスとしての機能との二段構えの機能によって割り抜き被害は強力に防止される。また、合せガラスの構成になっている箇所は一部であってガラス層の大半は非合せガラスの領域であって厚み３〜５ｍｍの板ガラスが占めており、従来の厚み６．０〜６．８ｍｍに比べて軽量化されている。また、非合わせガラスの領域からは十分な採光が得られる。また、合わせガラス部はルーバー窓の横縞模様を一層強調するものであって美観に優れている。
【実施例２】
【００２９】
本発明の実施例２は請求項１と請求項３に対応する実施例であり、図３は本発明の実施例２に係るルーバーガラス２１を屋外側から見た場合の正面図である。実施例２における合せガラス部２５は、実施例１における合せガラス部１５が露出部２２ｂに限定されて形成されている場合であって、支持金具装着部２２ａ、２２ａには形成されていない。ルーバーガラス２１では、合せガラス部２５が露出部２２ｂに限定されているので、支持金具装着部２２ａ、２２ａでは厚みが増加することはなくて元の厚みのままであり、厚み６．０〜６．８ｍｍの板ガラスを用いて合せガラスに構成したルーバーガラスであっても、６ｍｍ用支持金具を備えるルーバー窓において互換性１００％に用いることができる。即ち、実施例１のルーバーガラス１１では厚み３〜５ｍｍの板ガラスに合せガラス部１５を形成することによって厚みを増加させて６ｍｍ用支持金具に適合させているのに対し、実施例２のルーバーガラス２１では合せガラス部２５を露出部２２ｂに限定して形成することによって６．０〜６．８ｍｍの板ガラスを用いたルーバーガラスを６ｍｍ用支持金具に適合させているのであり、６ｍｍ用支持金具に適合するルーバーガラスとしては限度最高のガラス強度を有する。
【００３０】
請求項１及び又は請求項３に係る他の実施例としては、図は省略されているが、合せガラス部を側面の一部又は全周囲に設けたシングル構造のルーバーガラスがある。このように、金属層を側面に設ける場合は厚みが増加することはないのであって、６．０〜６．８ｍｍ厚の板ガラスを用いた場合にも６ｍｍ用支持金具に適合するルーバーガラスが得られる。変形例としては、実施例１における合せガラス部１５の構成はルーバー窓以外の窓ガラス、例えば引き違い窓や滑り出し窓等にも適応可能であって、それらの窓における割り破り被害を防止することができる。なお、何れの実施例においても図面は作図上の都合によって金属層や接着材層は実際よりも厚肉に描かれているが、実際は図面から受ける感じよりも薄い存在である。
【実施例３】
【００３１】
本発明の実施例３は請求項２に対応する実施例であり、図４は本発明の実施例３に係るルーバーガラス３１を屋外側から見た場合の斜視図である。実施例３における合せガラス部３５は、実施例１（図１参照）における合せガラス部１５の側面Ｚに対して金属層が追加されて２次元の壁面として形成されている場合であって、ルーバーガラス３１が鎧状に接触する際の接触側Ｘがガラス層３２から成り、反接触側Ｙと側面Ｚとが金属層３３から成るものであり、１つのガラス層と２つの金属層との組み合わせになっていて、所謂ダブル構造の合せガラスから成る。ルーバーガラス３１が鎧状に接触する際には実施例１の場合（図２参照）と同様に、ガラス層同士の接触となる。なお、合せガラス部は短辺側にも設けることができるものであり、その場合は、板状お金属やゴム等から成るスペーサによって代用することができる。
【００３２】
合せガラス部３５の反接触側Ｙと側面Ｚとを構成する金属層３３は、２次元の断面であってＬ字状を呈しており、アルミ押出形材ないしはステンレス鋼板や真鍮板の成形品等から成り、短辺側は３〜８ｍｍ前後、長辺側は５〜３０ｍｍ前後、厚みは０．５〜２ｍｍ前後が好ましい。なお、Ｌ字のコナー部は直角である必要はなくて２つの面に沿う形状であれば半筒状など他の形状であってもよい。接着材層３４としては実施例１の場合と同じシーリング材を用いることができる。ガラス層３２としては厚み３〜５ｍｍの無色ないしは色彩の型板ガラスやフロートガラスを用いることができる。なお、側面Ｚの金属層とガラス層３２との間に介在させる接着材層は省略しても防犯力に支障を来たすことはない。接着材層が省略された側面の金属層はガラス層の側面を覆うカバー材（面格子）として機能するものであって合せガラス部を構成するものではないので、その場合はシングル構造の合せガラスの範疇となる。
【００３３】
ルーバーガラス３１は、厚みの点では実施例１のルーバーガラス１１と同様であって、金属層３３と接着材層３４とガラス層３２との合計厚みが６ｍｍ用支持金具に適合する厚みに形成されており、従来のルーバー窓において互換性１００％に用いることができる。また、ルーバーガラス３１は合せガラス部３５がダブル構造になっているので、金属層３３が果たす面格子としての機能と、合せガラス部３５が果たすそれ本来の機能は共に、実施例１のシングル構造のルーバーガラス１１に比べれば単純計算で略２倍に強化されており、撓むことがなく、支持金具から抜き取られることがないのであって、割り抜き被害は更に強力に防止される。また、合せガラスの構成になっている箇所は一部であってガラス層の大半は非合せガラスの領域であって厚み３〜５ｍｍの単板ガラスが占めており、従来の厚み６．０〜６．８ｍｍに比べて軽量化されている。また、非合せガラスの領域からは十分な採光が得られる。また、合わせガラス部はルーバー窓の横縞模様を一層強調するものであって美観に優れている。
【実施例４】
【００３４】
本発明の実施例４は請求項２と請求項３に対応する実施例であり、図５は本発明の実施例４に係るルーバーガラス４１を屋外側から見た場合の正面図である。実施例４における合せガラス部４５は、実施例３（図４参照）における合せガラス部３５が露出部４２ｂに限定して形成されている場合であって、支持金具装着部４２a、４２aには形成されていない。ルーバーガラス４１では、合せガラス部４５が露出部４２ｂに限定して形成されているので、支持金具装着部４２a、４２aでは厚みが増加することはなくて元の厚みのままであり、厚み６．０〜６．８ｍｍの板ガラスを用いて合せガラスに構成したルーバーガラスであっても、６ｍｍ用支持金具を備えるルーバー窓において互換性１００％に用いることができる。即ち、実施例３のルーバーガラス３１では厚み３〜５ｍｍの板ガラスに合せガラス部３５を形成することによって厚みを増加させて６ｍｍ用支持金具に適合させているのに対し、実施例４のルーバーガラス４１では合せガラス部４５を露出部４２ｂに限定して形成することによって６．０〜６．８ｍｍの板ガラスを用いたルーバーガラスを６ｍｍ用支持金具に適合させているのであり、６ｍｍ用支持金具に適合するルーバーガラスとしては限度最高のガラス強度を有する。
【００３５】
ルーバーガラス４１では、厚み６．０〜６．８ｍｍの板ガラスが用いられていて、ガラス強度が６ｍｍ支持金具用としては限度最高であるのみならず、泥棒等侵入者からの攻撃を直接に受ける露出部４２ｂはダブル構造の合せガラスになっていて、実施例１のシングル構造のルーバーガラス１１に比べれば単純計算で略２倍の面格子機能と合せガラス機能とを有するものであり、撓むことがなくて、支持金具から抜き取られることがないのであって、割り抜き被害は更に強力に防止される。なお、図５では合せガラス部４５を上下双方の長辺に形成した例として示しているが、合せガラス部４５は、優先権主張に係る先の出願の請求項３および段落番号００１６に記載しているように、上下何れか一方の長辺に形成されていれば十分であり、その場合は下方の長辺に形成するのが好ましい。
【実施例５】
【００３６】
本発明の実施例５は請求項４に対応する実施例であり、図６は本発明の実施例５に係るルーバーガラス４１Ｒの平面図であってロック機構Ｒが解除されている状態を示しており、図７は図６においてロック機構Ｒが施錠されている状態を示している。実施例５のルーバーガラス４１Ｒは、図５に示す実施例４のルーバーガラス４１にロック機構Ｒを設けた構成であり、クリップ装着のルーバー窓に専ら用いられるものであって、エンドキャップ装着のルーバー窓は対象としていない。なお、図７に示すルーバーガラス４１Ｒは屋内側から見た場合の正面図であるのに対し、図５に示すルーバーガラス４１は屋外側から見た場合の正面図になっている。
【００３７】
ロック機構Ｒは、合せガラス部４５の金属層４３の両端部にプレートＲ１が設けられていて、プレートＲ１の一端には舌片Ｒ２（図７参照）が設けられ、他端に固定用のネジＲ３が設けられており、舌片Ｒ２とネジＲ３との略中間位置がリベットＲ４によって金属層４３に軸支された構成になっている。ルーバーガラス４１Ｒを支持金具Ｋに装着する際には、図６に示すように、プレートＲ１がルーバーガラス４１Ｒに対して略直角の位置、すなわち解除の状態とし、支持金具Ｋはクリップ部の掛止片Ｋ２を矢印Ｋ３の方向に開いた状態とし、従来通りの要領で挿入して装着する。ロック機構Ｒを施錠する際には、プレートＲ１を矢印Ｒ５の方向に回動すると、図７に示すように、クリップ部Ｋ１（掛止片Ｋ２）が開閉する際の軌道上に舌片Ｒ２が出現して、クリップ部Ｋ１（掛止片Ｋ２）の動きを封ずる位置に至る。しかる後、ネジＲ３を金属層４３に螺入してプレートＲ１が回動しないように固定する。施錠を解除する際は上記の逆工程となる。なお、金属層４３の形状は図示の例ではＬ字形になっているが、例えば溝形であって板ガラスの全周囲に設けられていてもよい。また、プレートＲ１は、図示の例では回動させる構成になっているが、スライドさせる等その他の構成であってもよい。
【００３８】
ロック機構Ｒはルーバーガラスに単独に設けられているので、クリップ装着のルーバー窓のようにロック機能を有しないルーバー窓においても、従来のルーバーガラスから本発明のルーバーガラス４１Ｒに取り替えるのみでロック機能が備わる。このロック機構によって抜き外し被害が防止され、合わせガラス部４３によって割り抜き被害が同時に防止される。
【図面の簡単な説明】
【００３９】
【図１】本発明の実施例１に係るルーバーガラス１１の斜視図である。
【図２】本発明の実施例１に係るルーバーガラス１１が鎧状に重なる際の状態を示す要部断面図である。
【図３】本発明の実施例２に係るルーバーガラス２１の正面図である。
【図４】本発明の実施例３に係るルーバーガラス３１の斜視図である。
【図５】本発明の実施例４に係るルーバーガラス４１の正面図である。
【図６】本発明の実施例５に係るルーバーガラス４１Ｒの部分平面図であってロック機構Ｒが解除の状態を示している。
【図７】図６を屋内側から見た部分正面図であってロック機構Ｒが施錠の状態を示している。
【図８】従来のルーバー窓を示す概略断面図である。
【符号の説明】
【００４０】
Ｇ、１１、２１、３１、４１、４１Ｒ    ルーバーガラス
１２、２２、３２、４２    ガラス層
１３、２３、３３、４３    金属層（層耐衝撃材層）
１４、２４、３４、４４    接着材層
１５、２５、３５、４５    合せガラス部
Ｘ    接触側
Ｙ    非接触側
Ｚ    側面
２２ａ、４２ａ    支持金具装着部
２２ｂ、４２ｂ    露出部
Ｋ    支持金具
Ｋ１    クリップ部
Ｋ２    掛止片
Ｒ    ロック機構
Ｒ１    プレート
Ｒ２    舌片
Ｒ３    ネジ
Ｒ４    リベット
Ｆ    連動フレーム
Ｈ    本体部
Ｐ    オペレータ
【図１】
0003800341.tif 000002
【図２】
0003800341.tif 000003
【図３】
0003800341.tif 000004
【図４】
0003800341.tif 000005
【図５】
0003800341.tif 000006
【図６】
0003800341.tif 000007
【図７】
0003800341.tif 000008
【図８】
0003800341.tif 000009